(57)【要約】【課題】  切タイマー及び入タイマーの設定を容易として利便性を向上させることが可能な空気調和機の制御装置を提供する。【解決手段】  所定時間後あるいは所定時刻に運転を停止するための切タイマー機能と所定時間後あるいは所定時刻に運転を開始するための入タイマー機能とを有する空気調和機の制御装置（リモートコントローラ）１である。切タイマー操作が入力されると入タイマー時間あるいは入タイマー時刻がプリセットされているか否かを判定し、前記入タイマー時間あるいは前記入タイマー時刻がプリセットされている場合には前記切タイマーを設定するとともに前記入タイマーをプリセットされた前記入タイマー時間あるいは前記入タイマー時刻で設定する制御手段３を備えてなる。【選択図】  図１
2008209052.tif 000002
【特許請求の範囲】
【請求項１】
所定時間後あるいは所定時刻に運転を停止するための切タイマー機能と所定時間後あるいは所定時刻に運転を開始するための入タイマー機能とを有する空気調和機の制御装置であって、
切タイマー操作が入力されると入タイマー時間あるいは入タイマー時刻がプリセットされているか否かを判定し、前記入タイマー時間あるいは前記入タイマー時刻がプリセットされている場合には前記切タイマーを設定するとともに前記入タイマーをプリセットされた前記入タイマー時間あるいは前記入タイマー時刻で設定する制御手段を備えてなることを特徴とする空気調和機の制御装置。
【請求項２】
所定時間後あるいは所定時刻に運転を停止するための切タイマー機能と所定時間後あるいは所定時刻に運転を開始するための入タイマー機能とを有する空気調和機の制御装置であって、
入タイマー操作が入力されると切タイマー時間あるいは切タイマー時刻がプリセットされているか否かを判定し、前記切タイマー時間あるいは前記切タイマー時刻がプリセットされている場合には前記入タイマーを設定するとともに前記切タイマーをプリセットされた前記切タイマー時間あるいは前記切タイマー時刻で設定する制御手段を備えてなることを特徴とする空気調和機の制御装置。
【発明の詳細な説明】
【技術分野】
【０００１】
本発明は、空気調和機の制御装置に関し、特に、入タイマー機能及び切タイマー機能を備える空気調和機の制御装置に関するものである。
【背景技術】
【０００２】
従来より、空気調和機のタイマー機能としては主として切タイマーと入タイマーが知られている（例えば特許文献１参照）。切タイマー機能によれば、空気調和機を所定の時間後あるいは時刻に運転停止させることができ、例えば就寝時に室内の快適性を維持するとともに就寝中の過剰な運転を抑制することができる。また、入タイマー機能によれば、空気調和機を所定の時間後あるいは時刻に運転の開始をさせることができ、例えば起床時に室内の快適性を得ることができる。
【特許文献１】特開平７−１２３８３号公報
【発明の開示】
【発明が解決しようとする課題】
【０００３】
ここで、切タイマーと入タイマーとは主に就寝の際に両者とも設定される場合が多い。しかしながら、前記切タイマーと前記入タイマーとはそれぞれ別個の操作によってそれぞれ設定されるものであって、就寝の際に２重に操作を要するために利用者にとって煩わしいという問題点があった。
【０００４】
本発明は、この問題点に鑑みてなされたものであり、切タイマー及び入タイマーの設定を容易として利便性を向上させることが可能な空気調和機の制御装置を提供することを目的とする。
【課題を解決するための手段】
【０００５】
本発明は、前記課題を解決するため、所定時間後あるいは所定時刻に運転を停止するための切タイマー機能と所定時間後あるいは所定時刻に運転を開始するための入タイマー機能とを有する空気調和機の制御装置であって、切タイマー操作が入力されると入タイマー時間あるいは入タイマー時刻がプリセットされているか否かを判定し、前記入タイマー時間あるいは前記入タイマー時刻がプリセットされている場合には前記切タイマーを設定するとともに前記入タイマーをプリセットされた前記入タイマー時間あるいは前記入タイマー時刻で設定する制御手段を備えてなることを特徴とする。
【０００６】
本発明は、前記課題を解決するため、所定時間後あるいは所定時刻に運転を停止するための切タイマー機能と所定時間後あるいは所定時刻に運転を開始するための入タイマー機能とを有する空気調和機の制御装置であって、入タイマー操作が入力されると切タイマー時間あるいは切タイマー時刻がプリセットされているか否かを判定し、前記切タイマー時間あるいは前記切タイマー時刻がプリセットされている場合には前記入タイマーを設定するとともに前記切タイマーをプリセットされた前記切タイマー時間あるいは前記切タイマー時刻で設定する制御手段を備えてなることを特徴とする。
【発明の効果】
【０００７】
本発明は、入タイマー機能及び切タイマー機能を備える空気調和機の制御装置に関するものであって、切タイマー及び入タイマーの設定を容易として利便性を向上させることが可能となる。
【発明を実施するための最良の形態】
【０００８】
以下、添付図面に基づいて、本発明の実施形態を説明する。
【０００９】
リモートコントローラ（制御装置）１は、キー入力手段２と、制御手段３と、記憶部４と、送信手段５とを有し、制御信号を送信して空気調和機Ａの運転を制御するものである。
【００１０】
キー入力手段２は、例えば押しボタンスイッチ等からなり、空気調和機Ａの制御に関する各種操作を行うものである。また、キー入力手段２は、本実施形態においては、特に切タイマーを設定するための切タイマー操作及び入タイマーの入タイマー時刻をプリセットするための入タイマー時刻入力操作を行うものである。
【００１１】
制御手段３は、主にマイクロコンピュータによって構成されるものであり、所定のプログラムを実行するためのＣＰＵと、前記プログラムが記憶されたＲＯＭと、演算結果等を一時的に記憶するＲＡＭと、空気調和機Ａの運転を制御するために制御信号を出力するための駆動回路と、キー入力手段２からの操作信号を入力するためのインターフェイス部等を有している。また、制御手段３は、所定の切タイマー時間が経過すると空気調和機Ａの運転を停止させる切タイマー機能と、所定の入タイマー時刻になると空気調和機Ａの運転を開始させる入タイマー機能と、を有する。なお、各タイマー機能の設定方法については後で詳述する。また、切タイマー機能は所定の切タイマー時刻になると空気調和機Ａの運転を停止させるものであってもよく、入タイマー機能は所定の入タイマー時間が経過すると空気調和機Ａの運転を開始させるものであってもよい。
【００１２】
記憶部４は、前記切タイマー機能における前記切タイマー時間あるいは及び前記入タイマー機能における前記入タイマー時刻等の各種データを不揮発的に記録するものであり、例えばＥＥＰＲＯＭからなる。
【００１３】
送信手段５は、赤外線発光ダイオード等からなり、制御手段３の前記制御信号を赤外線送信信号により空気調和機Ａに送信するものである。
【００１４】
次に、リモートコントローラ１による切タイマー及び入タイマーの設定方法について説明する。
【００１５】
まず、制御手段３は、キー入力手段２から所定の入タイマー時刻入力操作を入力すると前記入タイマーにおいて空気調和機Ａの運転を開始する時刻である前記入タイマー時刻（例えば「ＡＭ７：００」など）を記憶部４にあらかじめ設定するプリセット機能を有する。
【００１６】
さらに、制御手段３は、キー入力手段２から所定の切タイマー操作を入力すると（ステップＳ１）、前記入タイマー時刻が記憶部４にプリセットされているか否かを判定する（ステップＳ２）。なお、ここでいう切タイマー操作には前記切タイマーにおいて空気調和機Ａの運転を停止する前記切タイマー時間を選択する操作（例えば「２時間後」など）を含む。
【００１７】
制御手段３は、ステップＳ２において、前記入タイマー時刻がプリセットされていると判断される場合は、ステップＳ１における前記切タイマー操作に応じて前記切タイマー時間後に空気調和機Ａの運転を停止するべく切タイマーを設定するとともに、同時にプリセットされた前記入タイマー時刻で空気調和機Ａの運転を開始するべく入タイマーを設定する（ステップＳ３）。
【００１８】
また、制御手段３は、ステップＳ２において、前記入タイマー時刻がプリセットされていないと判断される場合は、ステップＳ１における前記切タイマー操作に応じて前記切タイマー時間後に空気調和機Ａの運転を停止するべく切タイマーのみを設定する（ステップＳ４）。
【００１９】
かかるリモートコントローラ１は、制御手段３に前記入タイマー機能における前記入タイマー時刻をプリセットする前記プリセット機能を設け、前記切タイマーを設定するのと同時に予め記憶部４に記憶されている前記入タイマー時刻に基づいて前記入タイマーを設定することによって、両タイマーを合わせて設定するという数多く発生する場面において両タイマーの入力を簡素化することができ、利便性を向上させることができる。また、プリセットによって前記入タイマーを設定するか否かを切り替えることも可能であるため、利用者の好みに応じて柔軟な設定が可能である。
【００２０】
次に、本発明の他の実施形態について説明する。なお、前述の実施形態と同一あるいは相当個所には同一符号を付してその詳細な説明を省略する。
【００２１】
キー入力手段２は、本他の実施形態においては、特に切タイマーの切タイマー時刻をプリセットするための切タイマー時刻入力操作及び入タイマーを設定するための切タイマー操作を行うものである。
【００２２】
制御手段３は、所定の切タイマー時刻になると空気調和機Ａの運転を停止させる切タイマー機能と、所定の入タイマー時間が経過すると空気調和機Ａの運転を開始させる入タイマー機能と、を有する。なお、各タイマー機能の設定方法については後で詳述する。また、切タイマー機能は所定の切タイマー時間が経過すると空気調和機Ａの運転を停止させるものであってもよく、入タイマー機能は所定の入タイマー時刻になると空気調和機Ａの運転を開始させるものであってもよい。
【００２３】
記憶部４は、前記切タイマー機能における前記切タイマー時刻あるいは及び前記入タイマー機能における前記入タイマー時間等の各種データを不揮発的に記録するものであり、例えばＥＥＰＲＯＭからなる。
【００２４】
次に、リモートコントローラ１による切タイマー及び入タイマーの設定方法について説明する。
【００２５】
まず、制御手段３は、キー入力手段２から所定の切タイマー時刻入力操作を入力すると前記切タイマーにおいて空気調和機Ａの運転を停止する時刻である前記切タイマー時刻（例えば「ＰＭ１１：００」など）を記憶部４にあらかじめ設定するプリセット機能を有する。
【００２６】
さらに、制御手段３は、キー入力手段２から所定の入タイマー操作を入力すると（ステップＳ１１）、前記切タイマー時刻が記憶部４にプリセットされているか否かを判定する（ステップＳ１２）。なお、ここでいう入タイマー操作には前記入タイマーにおいて空気調和機Ａの運転を開始する前記入タイマー時間を選択する操作（例えば「６時間後」など）を含む。
【００２７】
制御手段３は、ステップＳ１２において、前記切タイマー時刻がプリセットされていると判断される場合は、ステップＳ１１における前記入タイマー操作に応じて前記入タイマー時間後に空気調和機Ａの運転を開始するべく入タイマーを設定するとともに、同時にプリセットされた前記切タイマー時刻で空気調和機Ａの運転を停止するべく切タイマーを設定する（ステップＳ１３）。
【００２８】
また、制御手段３は、ステップＳ１２において、前記切タイマー時刻がプリセットされていないと判断される場合は、ステップＳ１１における前記入タイマー操作に応じて前記入タイマー時間後に空気調和機Ａの運転を開始するべく入タイマーのみを設定する（ステップＳ１４）。
【００２９】
かかるリモートコントローラ１は、制御手段３に前記切タイマー機能における前記切タイマー時刻をプリセットする前記プリセット機能を設け、前記入タイマーを設定するのと同時に予め記憶部４に記憶されている前記切タイマー時刻に基づいて前記切タイマーを設定することによって、両タイマーを合わせて設定するという数多く発生する場面において両タイマーの入力を簡素化することができ、利便性を向上させることができる。また、プリセットによって前記切タイマーを設定するか否かを切り替えることも可能であるため、利用者の好みに応じて柔軟な設定が可能である。
【図面の簡単な説明】
【００３０】
【図１】本発明の実施形態である空気調和機の制御装置の電気的構成を示すブロック図。
【図２】同上のタイマー機能の設定方法を説明するためのフローチャート図。
【図３】本発明の他の実施の形態である空気調和機の制御装置のタイマー機能の設定方法を説明するためのフローチャート図。
【符号の説明】
【００３１】
１  リモートコントローラ（制御装置）
２  キー入力手段
３  制御手段
４  記憶部
５  送信手段
【図１】
2008209052.tif 000003
【図２】
2008209052.tif 000004
【図３】
2008209052.tif 000005